(57)【要約】【課題】  裏面にタイル剥落防止具を取り付けた場合に、タイル剥落防止具に対して外装タイルから離反方向に力が加わったとしてもタイル剥落防止具が外装タイルの裏足から外れることを抑制することができる裏足形状を有する外装タイルを提供する。【解決手段】  外装タイル１は、躯体コンクリート４の表面に固着され、裏面に係止溝６を有する外装タイル１であって、前記裏面から凹んで形成された底面６１と、該底面６１の両側縁からそれぞれ立ち上がる底側壁面６２と、該底側壁面６２の前記底面６１と反対側の端縁から互いに接近する方向に所定距離だけ前記底面６１と略平行にそれぞれ延びる天井面６６と、該天井面６６の互いに接近する端縁から裏面方向に延びる開口側壁面６７とを具備する。【選択図】図１
2013049996.tif 000002
【特許請求の範囲】
【請求項１】
躯体コンクリートの表面に固着され、裏面に係止溝を有する外装タイルであって、
前記係止溝は、前記裏面から凹んで形成された底面と、該底面の両側縁からそれぞれ立ち上がる底側壁面と、該底側壁面の前記底面と反対側の端縁から互いに接近する方向に所定距離だけ前記底面と略平行にそれぞれ延びる天井面と、該天井面の互いに接近する端縁から裏面方向に延びる開口側壁面とを具備することを特徴とする外装タイル。
【請求項２】
前記係止溝の底面の両側にそれぞれ形成されている前記開口側壁面の間に底面から突出する中間突条が形成されていることを特徴とする請求項１に記載の外装タイル。
【請求項３】
前記開口側壁面が、前記天井面となす角度が鋭角となるように、傾斜して形成されていることを特徴とする請求項１又は請求項２に記載の外装タイル。
【発明の詳細な説明】
【技術分野】
【０００１】
本発明は、建築物のコンクリート外壁の化粧材として用いられる外装タイルに関し、特にその裏面に外装タイルの剥落を防止するアンカー材を取付けることができる外装タイルに関する。
【背景技術】
【０００２】
従来より、外装タイルの裏面には、裏あしと呼ばれる凹凸又はリブが設けられており、特にセメントモルタルの接着性を高めるために先端が幅広で根元が先端よりも幅の狭い断面台形に形成されたあり足、または、開口部が狭い台形の溝が形成されたあり溝と呼ばれる裏あしが知られている（非特許文献１）。しかし、このようなあり足、又はあり溝を有したタイルを用いても経年劣化により剥落する虞があり、特に高層建築物の外壁に用いられる外装タイルの剥落は極めて危険であるので問題であった。
【０００３】
そこで、外装タイルにさらにアンカー材を取付けて、このアンカー材を躯体コンクリート内に埋設することにより、外装タイルと躯体コンクリートとの接合強度を高める技術が種々提案されている（特許文献１）。ところで図８に示すように、躯体コンクリート１００に埋設されるアンカー材の一種として、両端があり溝１０２に挿入される一対の挿入部１０３を構成し、中央部分１０４を円環状に撓ませた状態で、挿入部１０３をあり溝１０２に挿入することで、一対の挿入部１０３が離反方向に広がることによりあり溝１０２に押し付けられて固定されるタイル保持部材１０１が提案されている（特許文献２、３）。
【先行技術文献】
【特許文献】
【０００４】
【非特許文献１】日本工業規格  ＪＩＳＡ５２０９：２００８
【特許文献１】特開平６−２４０７６８
【特許文献２】実開平6−１７２９８
【特許文献３】特開平９−７８７９３
【発明の概要】
【発明が解決しようとする課題】
【０００５】
しかし、上述のようなタイル保持部材１０１をあり溝１０２に係止する場合は、例えばコンクリートの打設の際などに、タイル保持部材１０１又は外装タイルに圧力が加わった場合には、あり溝１０２の側壁１０５が傾斜しているため、十分にその圧力を受けることができずタイル保持部材１０１の挿入部１０３が滑って、あり溝１０２から挿入部１０３が外れる虞がある。
【０００６】
そこで、本発明は、裏面にタイル剥落防止具を取り付けた場合に、タイル剥落防止具に対して外装タイルから離反方向に力が加わったとしてもタイル剥落防止具が外装タイルの裏足から外れることを抑制することができる裏足形状を有する外装タイルを提供することを目的とする。
【課題を解決するための手段】
【０００７】
請求項１に記載の外装タイルは、躯体コンクリートの表面に固着され、裏面に係止溝を有する外装タイルであって、前記裏面から凹んで形成された底面と、該底面の両側縁からそれぞれ立ち上がる底側壁面と、該底側壁面の前記底面と反対側の端縁から互いに接近する方向に所定距離だけ前記底面と略平行にそれぞれ延びる天井面と、該天井面の互いに接近する端縁から裏面方向に延びる開口側壁面とを具備することを特徴としている。
【０００８】
請求項２に記載の外装タイルは、前記係止溝の底面の両側にそれぞれ形成されている前記開口側壁面の間に底面から突出する中間突条が形成されていることを特徴としている。
【０００９】
請求項３に記載の外装タイルは、前記開口側壁面が、前記天井面となす角度が鋭角となるように、傾斜して形成されていることを特徴としている。
【発明の効果】
【００１０】
請求項１に記載の外装タイルによると、外装タイルの裏面から凹んで形成された底面と、該底面の両側縁からそれぞれ立ち上がる底側壁面と、該底側壁面の前記底面と反対側の端縁から互いに接近する方向に所定距離だけ前記底面と略平行にそれぞれ延びる天井面と、該天井面の互いに接近する端縁から裏面方向に延びる開口側壁面とを具備する係止溝を有しているので、底面と天井面との間に挿入可能な互いに離反方向に付勢された爪部を有するアンカー材としてのタイル剥落防止具を用いると、外装タイル又はタイル剥落防止具が毀損するほどの力が加わらない限りは、外装タイルからタイル剥落防止具が外れる虞がない。
【００１１】
請求項２に記載の外装タイルによると、外装タイルの係止溝の底面から立ち上がる中間突条が形成されているので、外装タイルの裏面側に打設されるコンクリートへの付着強度を高めることができる。
【００１２】
請求項３に記載の外装タイルによると、前記開口側壁面が、前記天井面となす角度が鋭角となるように、傾斜して形成されているので、タイル剥落防止具の脚部が尖った部分にのみ接することになるので、タイル剥落防止具の脚部又は爪部が開口側壁面に引っ掛かる虞がなく、確実に爪部を天井面と底面との間に挿入することができる。
【図面の簡単な説明】
【００１３】
【図１】外装タイルの裏面の外観構成を説明する全体斜視図及び側面図。
【図２】外装タイルの別の実施形態として六角形状の外装タイルの裏面の外観構成を例示する全体斜視図及び側面図。
【図３】外装タイルの別の実施形態として係止溝の間に底面から突出する中間突条が設けられた状態を示す側面図。
【図４】外装タイルの別の実施形態として２本の係止溝が設けられた外装タイルを説明する斜視図。
【図５】外装タイルにタイル剥落防止具を係止する工程を説明する斜視図であって、（ａ）は、タイル剥落防止具の脚部の先端及び爪部を外装タイルの係止溝に挿入した図、（ｂ）は、タイル剥落防止具を回転させて爪部をスリット空間に挿入した図。
【図６】外装タイルにタイル剥落防止具を別の方法で係止する工程を説明する斜視図であって、（ａ）は、脚部が互いに接近する方向に付勢した状態でタイル剥落防止具の脚部の先端及び爪部を外装タイルの係止溝に挿入する前の状態を示す図、（ｂ）は、タイル剥落防止具の脚部の先端及び爪部を外装タイルの係止溝に挿入した状態を示す図、（ｃ）は、脚部への付勢を解除した状態し、スリット空間に爪部を挿入した状態を示す図。
【図７】コンクリートを打設して外壁を完成させた状態を説明する省略断面図。
【図８】（ａ）は、従来のタイル保持部材及び外装タイルを説明する図であり、（ｂ）はその部分拡大図。
【発明を実施するための形態】
【００１４】
以下、本発明の外装タイル１の最良の実施形態について、各図を参照しつつ説明する。外装タイル１は、その裏面に形成された係止溝６にアンカー材としてのタイル剥落防止具３を係止し、このタイル剥落防止具３を躯体コンクリート内に埋設することで躯体コンクリート４に接着するタイルであり、このようなタイル剥落防止具３に固定されていることによって躯体コンクリート４から剥離することを効果的に防止できるものである。
【００１５】
外装タイル１は、粘土その他の無機質材料を押出成形した後、乾燥させて高温で焼成した陶磁器質タイルである。この外装タイル１は、図１に示すように、長方形の平板状に形成されており、その裏面には、当該裏面から凹んで形成された底面６１と、この底面６１の両側縁からそれぞれ立ち上がる底側壁面６２と、この底側壁面６２の底面６１と反対側の端縁から互いに接近する方向に所定距離だけ前記底面と略平行にそれぞれ延びる天井面６６と、天井面６６の互いに接近する端縁から裏面方向に延びる開口側壁面６７とを具備する係止溝６が設けられている。開口側壁面６７は対向する開口側壁面６７との間は離間しており、図４以下に示すタイル剥落防止具３の脚部３１を挿入可能に開口している。また、係止溝６の両側には、天井面６６、開口側壁面６７、及び裏面により形成される鍔部６３が底側壁面６２の上端より内側へ突出して設けられている。また、開口側壁面６７は、天井面６６となす角が鋭角になるように傾斜して形成されている。前記天井面６６と底面６１との間には内側が開口し奥に底側壁面６２を有する細いスリット空間６４が形成されている。
【００１６】
なお、外装タイル１の形状は長方形の平板に限定されるものではなく、正方形、その他の多角形、円形などのタイルであってもよい。例えば図２に示すように、六角形のタイルを使用する場合であっても、その裏面から凹んで形成された底面６１と、この底面６１の両側縁からそれぞれ立ち上がる底側壁面６２と、この底側壁面６２の底面６１と反対側の端縁から互いに接近する方向に所定距離だけ前記底面と略平行にそれぞれ延びる天井面６６と、天井面６６の互いに接近する端縁から裏面方向に延びる開口側壁面６７とを具備する係止溝６が設けられていればよい。また、外装タイル１の成形は押出成形に限定されるものではなく、外装タイル１の形状に応じて例えば高圧プレス成形などの適切な成形方法を選択できる。さらに、外装タイル２の材料は無機質材料に限定されるものではなく、例えば合成樹脂などの有機高分子材料を用いたものであってもよい。
【００１７】
外装タイル１の裏面に設けられた係止溝６の底面６１は平坦に形成されていてもよいが、例えば躯体コンクリート４への外装タイル２の付着性を高めるために、図３に示すように、底面６１から離れる方向に向かって広がって形成された断面台形のあり状の中間突条６５が、係止溝６の長手方向に沿って、両側の開口側壁面６７からそれぞれ距離を開けて形成されていてもよい。また、裏面の幅が広い外装タイル１を用いる場合には２以上の中間突条６５が形成されていても良く、あり状以外の形状の中間突条６５が形成されていてもよい。
【００１８】
また、外装タイル１の寸法によっては、係止溝６を２本以上形成してもよい。例えば図４に示すように、２本の係止溝６を互いに平行に外装タイル１の裏面に形成し、それぞれの係止溝６にタイル剥落防止具３を取り付けることにより、コンクリートを打設して外壁２を形成した時に、より強固に外装タイル１を躯体コンクリート４に固定することができ、外装タイル１の重量が重い場合にも本外装タイル剥落防止構造１を用いることができる。
【００１９】
このような外装タイル１に係止するタイル剥落防止具３は、図５等に示されるように、係止溝６に挿入可能な寸法であり、係止溝６の天井面６６と底面６１との間のスリット空間６４に挿入できる爪部３３を両端に有し、この爪部３３から屋内方向に向かって一対の脚部３１が延びており、この脚部３１同士をつなぐ湾曲した折曲部３２が弾性変形することにより爪部３３同士を接近方向に移動させ、又、弾性応力により爪部３３に対して離反方向に付勢するものである。なお、外装タイル１の係止溝６に係止されるアンカー材の構成はこれに限定されるものではなく、離反方向に付勢された一対の爪部３３が係止溝６の天井面６６と底面６１との間に挿入可能な形状であれば如何なる形状であってもよい。
【００２０】
このような外装タイル１を用いて建築物の外壁２を形成する際には、まず、図示しない作業者がタイル剥落防止具３の一対の脚部３１を挟持して、一方の脚部３１の先端から他方の脚部３１の先端までの距離が、係止溝６の溝両側の開口側壁面６７の天井面６６側の端縁間の距離よりも短くなるように折曲部３２を弾性変形させる。そして、弾性変形した状態を保持したまま、図５（ａ）に示すように、一対の爪部３３の突出方向が外装タイル２の係止溝６の長手方向と略平行になるように、外装タイル２の係止溝６にタイル剥落防止具３の脚部３１の先端及び爪部３３を挿入する。そして図５（ｂ）に示すように、タイル剥落防止具３を約９０度回転させて、一対の爪部３３を外装タイル２の天井面６６と底面６１との間に形成されたスリット空間６４に挿入する。このときタイル剥落防止具３の爪部３３は互いに離反する方向に付勢されているので、互いにスリット空間６４の奥行き方向へ付勢され、外装タイル１の係止溝６の天井面６６と底面６１との間で確実に固定できる。
【００２１】
なお、タイル剥落防止具３を外装タイル１に係止する場合に、上述のように、タイル剥落防止具３を約９０度回転させるものでなくてもよい。例えば図６に示すように、一方の爪部３３の先端から他方の爪部３３の先端までの距離を、開口側壁面６７の天井面６６側端縁間の距離である３０ｍｍよりも短くなるように折曲部３２を弾性変形させて、そのままタイル剥落防止具３の爪部３３及び脚部３１の先端を、外装タイル２の係止溝６に挿入してもよい。このようにした後、作業者が脚部３１を開放すると、弾性応力により、脚部３１の先端の間の距離が広がって、爪部３３が係止溝６の天井面６６と底面６１の間のスリット空間６４に挿入され、タイル剥落防止具３に外装タイル２が係止される。
【００２２】
以上のようにしてタイル剥落防止具３を外装タイル１に係止した後、図示しない片枠内に外装タイル１を目地材７を挟んで並べておき、所定の鉄筋５を敷設した後、コンクリートを打設する。そして、養生した後、型枠から取り外して、図７に示すように、外壁２を完成させる。このようにコンクリートを打設する際には、外装タイル１及びタイル剥落防止具３に対して互いに離反する方向に圧力が加わるが、外装タイル１には鍔部６３が形成されているので、タイル剥落防止具３の爪部３３が天井面６６に確実に引っ掛かり、タイル剥落防止具３が外れることを防止することができる。したがって、このような外装タイル１を用いた外壁２は、その内部にタイル剥落防止具３が確実に固定されているので、外装タイル２の剥落を極めて効果的に抑制することができる。この場合、開口側壁面６７が、天井面６６となす角度が鋭角となるように、傾斜して形成されているので、タイル剥落防止具３の脚部３１が尖った部分にのみ接することになるので、タイル剥落防止具３の脚部３１又は爪部３３が開口側壁面６７に引っ掛かる虞がなく、確実に爪部３３を天井面６６と底面６１との間のスリット空間６４に挿入することができる。
【００２３】
なお、外装タイル１を用いた外壁の工法としては予め工場などでコンクリートを打設養生するプレキャスト工法や建築現場でコンクリートを打設養生する現場打ち工法などの工法を用いることができる。
【００２４】
なお、本発明の実施の形態は上述の形態に限ることなく、本発明の思想の範囲を逸脱しない範囲で適宜変更することができることは云うまでもない。
【産業上の利用可能性】
【００２５】
本発明に係る外装タイル１は、外装材としてタイルを使用する建築物に好適に用いることができる。
【符号の説明】
【００２６】
１      外装タイル
６      係止溝
６１    底面
６２    側壁
６３    鍔部
６４    スリット空間
６５    中間突条
【図１】
2013049996.tif 000003
【図２】
2013049996.tif 000004
【図３】
2013049996.tif 000005
【図４】
2013049996.tif 000006
【図５】
2013049996.tif 000007
【図６】
2013049996.tif 000008
【図７】
2013049996.tif 000009
【図８】
2013049996.tif 000010